(57)【要約】【課題】ルーバーが形成された表面板の内側に吸音材が配された防音パネルの前記表面板に、例えば、植栽用のマット等を取り付けるためのパネル構造体としての網体を、前記表面板に何らの加工を施すことなく、前記表面板の表側からワンタッチで確実に取り付けることができる多目的防音壁を提供する。【解決手段】ルーバー２Ａが形成された表面板２の内側に吸音材４が配された防音パネル１の表面板２に、取付金具８を介してパネル構造体としての網体７が取り付けられた多目的防音壁において、取付金具８は、板材をＶ字状に折り曲げて、上部片８Ａと下部片８Ｂとを形成したものからなり、上部片８Ａの基端部には上部フック８Ｃが形成され、下部片８Ｂの基端部には下部フック８Ｄが形成され、取付金具８を表面板２の外側からルーバー２Ａ間に挿入することによって、上部フック８Ｃは、一方のルーバー２Ａ１の吸音材側縁部（Ｐ１）に係止され、下部フック８Ｄは、他方のルーバー２Ａ２の吸音材側縁部（Ｐ２）に係止される。【選択図】図１
2011001737.tif 000002
【特許請求の範囲】
【請求項１】
ルーバーが形成された表面板の内側に吸音材が配された防音パネルの前記表面板に、取付金具を介してパネル構造体が取り付けられた多目的防音壁において、
前記取付金具は、基端部にフックが形成され、先端部に前記パネル構造体が係止され、前記パネル構造体は、前記表面板の外側から前記ルーバー間に挿入される前記取付金具の前記フックが前記ルーバーの吸音材側縁部に係止されることのみにより、前記表面板に抜け出し不可に取り付けられていることを特徴とする多目的防音壁。
【請求項２】
前記取付金具は、弾性力に富んでいることを特徴とする、請求項１に記載の多目的防音壁。
【請求項３】
前記吸音材は、弾性力を有し、前記フックは、前記吸音材の弾性力に抗して前記ルーバー間に挿入されていることを特徴とする、請求項１または２に記載の多目的防音壁。
【請求項４】
前記取付金具は、板材をＶ字状に折り曲げて、上部片と下部片とを形成したものからなり、前記上部片の基端部には、前記上部片を上方に折り曲げることにより上部フックが形成され、前記下部片の基端部には、前記下部片を下方に折り曲げることにより下部フックが形成され、前記取付金具を前記表面板の外側から前記ルーバー間に挿入することによって、前記上部フックは、一方のルーバーの吸音材側縁部に係止され、前記下部フックは、前記一方のルーバーの下方に形成された他方のルーバーの吸音材側縁部に係止されることを特徴とする、請求項１から３の何れか１つに記載の多目的防音壁。
【請求項５】
前記取付金具は、板材をＶ字状に折り曲げて、上部片と前記上部片より短い下部片とを形成したものからなり、前記上部片の基端部には、前記上部片を上方に折り曲げることにより上部フックが形成され、前記下部片の基端部には、前記下部片を上方に折り曲げることにより当接部が形成され、前記取付金具を前記表面板の外側から前記ルーバー間に挿入することによって、前記上部フックは、一方のルーバーの吸音材側縁部に係止され、前記当接部は、前記一方のルーバーの下方に形成された他方のルーバーの上面または下面に当接されることを特徴とする、請求項１から３の何れか１つに記載の多目的防音壁。
【請求項６】
前記取付金具は、板材をコ字状に折り曲げて、上部片と下部片とを形成したものからなり、前記上部片の基端部には、前記上部片を下方に折り曲げることにより上部フックが形成され、前記下部片の基端部には、前記下部片を下方に折り曲げることにより下部フックが形成され、前記取付金具を前記表面板の外側から前記ルーバー間に挿入することによって、前記上部フックは、一方のルーバーの吸音材側縁部に係止され、前記下部フックは、前記一方のルーバーの下方に形成された他方のルーバーの吸音材側縁部に係止されることを特徴とする、請求項１から３の何れか１つに記載の多目的防音壁。
【請求項７】
前記取付金具は、板材の基端部の一部を下方に折り曲げることにより下部片を形成したものからなり、前記取付金具の基端部には、前記板材を下方に折り曲げることにより上部フックが形成され、前記下部片の先端部には、前記下部片を上方に折り曲げることにより下部フックが形成され、前記取付金具を前記表面板の外側から前記ルーバー間に挿入することによって、前記上部フックは、前記ルーバーの吸音材側縁部に係止され、前記下部フックは、前記ルーバーの外側縁部に係止されることを特徴とする、請求項１から３の何れか１つに記載の多目的防音壁。
【請求項８】
前記取付金具は、板材の基端部の一部を下方に折り曲げることにより下部片を形成したものからなり、前記取付金具の基端部には、前記板材を下方に折り曲げることにより上部フックが形成され、前記下部片の先端部には、前記下部片を下方に折り曲げることにより当接部が形成され、前記取付金具を前記表面板の外側から前記ルーバー間に挿入することによって、前記上部フックは、前記ルーバーの吸音材側縁部に係止され、前記当接部は、前記ルーバーの上面に当接されることを特徴とする、請求項１から３の何れか１つに記載の多目的防音壁。
【請求項９】
前記フックには、前記ルーバーに係止する挟持部が形成されていることを特徴とする、請求項１から８の何れか１つに記載の多目的防音壁。
【請求項１０】
前記取付金具は、前記板材の先端部にフックが形成され、前記フックに前記パネル構造体が係止されることを特徴とする、請求項７または８に記載の多目的防音壁。
【請求項１１】
前記パネル構造体は、縦桟と横桟とを格子状に組んだ網体からなり、前記パネル構造体は、前記表面板に密着させ、前記取付金具を前記パネル構造体の外側から前記ルーバー間に挿入することによって、前記表面板に取り付けられることを特徴とする、請求項１から８の何れか１つに記載の多目的防音壁。
【請求項１２】
前記パネル構造体は、縦桟と横桟とを格子状に組んだ網体からなり、前記パネル構造体は、前記表面板から離反させ、前記表面板に取り付けられることを特徴とする、請求項１、２、７から１０の何れか１つに記載された多目的防音壁。
【請求項１３】
前記パネル構造体に、植栽手段、広告手段、標識等の表示手段、または、ソーラーパネル等の太陽光発電手段が取り付けられていることを特徴とする、請求項１から１２の何れか１つに記載の多目的防音壁。
【発明の詳細な説明】
【技術分野】
【０００１】
この発明は、多目的防音壁、特に、ルーバーが形成された表面板の内側に吸音材が配された防音パネルの前記表面板に、例えば、植栽用のマット等を取り付けるためのパネル構造体としての網体を、前記表面板に何らの加工を施すことなく、前記表面板の表側からワンタッチで確実に取り付けることができる多目的防音壁に関するものである。
【背景技術】
【０００２】
通常、幹線道路や鉄道沿線には、騒音対策として防音壁が構築されている。例えば、防音壁は、所定の間隔で列設された支柱と、この支柱間に配置される防音パネルとからなっている。図１４に示すように、防音パネル１３は、ルーバー１４Ａによる開孔が形成された表面板１４が取り付けられた箱体１５内にグラスウール等の吸音材１６が入れられたものからなり、ルーバー１４Ａから箱体１５内に入った騒音を吸音材１６により吸収させることにより防音を図っている。
【０００３】
近年、このような防音壁においては、単に防音機能のみではなく、他の機能を兼ね備えることができる多目的防音壁が望まれている。例えば、環境保全の面から防音壁に緑化パネルを取り付けることが可能な多目的防音壁が望まれている。
【０００４】
緑化パネルの取り付けが可能な防音壁の一例が特許文献１（特開２００５−２１１０３５号公報）に開示されている。
【０００５】
以下、この防音壁を従来防音壁といい、図面を参照しながら説明する。
【０００６】
図１５は、従来防音壁の防音壁本体への緑化パネルの取り付け方法を示す分解斜視図、図１６は、従来防音壁を示す一部省略断面図である。
【０００７】
図１５および図１６において、１７は、ルーバー１８Ａが形成された表面板１８が取り付けられた箱体１９内にグラスウール等の吸音材２０が入れられた防音パネルである。２１は、防音パネル１７に取り付けられた緑化パネルである。緑化パネル２１は、取付枠２２に取り付けられた植栽育成用の多孔質のマット２３と、マット２３の外側面に配される、植栽を絡みつかせる網体２４とからなっている。
【０００８】
緑化パネル２１は、防音パネル１７に以下のようにして取り付けられる。
【０００９】
緑化パネル２１の上部は、図１６に示すように、取付枠２２の上端部を表面板１８にドリルビス２５をねじ込むことにより固定されている。緑化パネル２１の下部は、取付金具２６を介して防音パネル１７に取り付けられている。取付金具２６は、図１５に示すように、第１取付片２７と第２取付片２８とからなっている。第１取付片２７は、先端部にフック２９Ａが形成された傾斜係止片２９と、傾斜係止片２９と間隔をあけて配された押え片３０とからなっている。傾斜係止片２９と押え片３０とは、ボルト・ナット３１を締めることにより互いに接近するように構成されている。
【００１０】
取付金具２６により緑化パネル２１の下部を防音パネル１７に取り付けるには、先ず、傾斜係止片２９を表面板１８のルーバー１８Ａ間に挿入し、傾斜係止片２９のフック２９Ａをルーバー１８Ａの吸音材側縁部（Ｐ）に係止する。この後、ボルト・ナット３１を締めて、傾斜係止片２９と押え片３０とにより表面板１８を挟み込む。これにより取付金具２６は、表面板１８に固定される。このようにして、取付金具２６を表面板１８に固定したら、緑化パネル２１を取付金具２６に接近させて、緑化パネル２１の下部を第２取付片２８にボルト・ナット３２により固定する。
【先行技術文献】
【特許文献】
【００１１】
【特許文献１】特開２００５−２１１０３５号公報
【発明の概要】
【発明が解決しようとする課題】
【００１２】
以上のようにして、緑化パネル２１の上部は、ドリルビス２５により、下部は、取付金具２６により防音パネル１７に確実に取り付けられる。しかしながら、緑化パネル２１は、ドリルビス２５、ボルト・ナット３１、３２により取り付けねばならないので、緑化パネル２１の取り付けに時間がかかり、しかも、ドリルビス３５により、表面板１４を貫通させる加工を施す必要があった。
【００１３】
この発明の目的は、上記従来防音壁の有する問題点を解決し、ルーバーが形成された表面板の内側に吸音材が配された防音パネルの前記表面板に、網体等のパネル構造体を、前記表面板に何らの加工を施すことなく、前記表面板の表側からワンタッチで確実に取り付けることができる多目的防音壁を提供することにある。
【課題を解決するための手段】
【００１４】
この発明は、上記目的を達成するためになされたものであって、下記を特徴とする。
【００１５】
請求項１に記載の発明は、ルーバーが形成された表面板の内側に吸音材が配された防音パネルの前記表面板に、取付金具を介してパネル構造体が取り付けられた多目的防音壁において、前記取付金具は、基端部にフックが形成され、先端部に前記パネル構造体が係止され、前記パネル構造体は、前記表面板の外側から前記ルーバー間に挿入される前記取付金具の前記フックが前記ルーバーの吸音材側縁部に係止されることのみにより、前記表面板に抜け出し不可に取り付けられていることに特徴を有するものである。
【００１６】
請求項２に記載の発明は、請求項１に記載の多目的防音壁において、前記取付金具は、弾性力に富んでいることに特徴を有するものである。
【００１７】
請求項３に記載の発明は、請求項１または２に記載の多目的防音壁において、前記吸音材は、弾性力を有し、前記フックは、前記吸音材の弾性力に抗して前記ルーバー間に挿入されていることに特徴を有するものである。
【００１８】
請求項４に記載の発明は、請求項１から３の何れか１つに記載の多目的防音壁において、前記取付金具は、板材をＶ字状に折り曲げて、上部片と下部片とを形成したものからなり、前記上部片の基端部には、前記上部片を上方に折り曲げることにより上部フックが形成され、前記下部片の基端部には、前記下部片を下方に折り曲げることにより下部フックが形成され、前記取付金具を前記表面板の外側から前記ルーバー間に挿入することによって、前記上部フックは、一方のルーバーの吸音材側縁部に係止され、前記下部フックは、前記一方のルーバーの下方に形成された他方のルーバーの吸音材側縁部に係止されることに特徴を有するものである。
【００１９】
請求項５に記載の発明は、請求項１から３の何れか１つに記載の多目的防音壁において、前記取付金具は、板材をＶ字状に折り曲げて、上部片と前記上部片より短い下部片とを形成したものからなり、前記上部片の基端部には、前記上部片を上方に折り曲げることにより上部フックが形成され、前記下部片の基端部には、前記下部片を上方に折り曲げることにより当接部が形成され、前記取付金具を前記表面板の外側から前記ルーバー間に挿入することによって、前記上部フックは、一方のルーバーの吸音材側縁部に係止され、前記当接部は、前記一方のルーバーの下方に形成された他方のルーバーの上面または下面に当接されることに特徴を有するものである。
【００２０】
請求項６に記載の発明は、請求項１から３の何れか１つに記載の多目的防音壁において、前記取付金具は、板材をコ字状に折り曲げて、上部片と下部片とを形成したものからなり、前記上部片の基端部には、前記上部片を下方に折り曲げることにより上部フックが形成され、前記下部片の基端部には、前記下部片を下方に折り曲げることにより下部フックが形成され、前記取付金具を前記表面板の外側から前記ルーバー間に挿入することによって、前記上部フックは、一方のルーバーの吸音材側縁部に係止され、前記下部フックは、前記一方のルーバーの下方に形成された他方のルーバーの吸音材側縁部に係止されることに特徴を有するものである。
【００２１】
請求項７に記載の発明は、請求項１から３の何れか１つに記載の多目的防音壁において、前記取付金具は、板材の基端部の一部を下方に折り曲げることにより下部片を形成したものからなり、前記取付金具の基端部には、前記板材を下方に折り曲げることにより上部フックが形成され、前記下部片の先端部には、前記下部片を上方に折り曲げることにより下部フックが形成され、前記取付金具を前記表面板の外側から前記ルーバー間に挿入することによって、前記上部フックは、前記ルーバーの吸音材側縁部に係止され、前記下部フックは、前記ルーバーの外側縁部に係止されることに特徴を有するものである。
【００２２】
請求項８に記載の発明は、請求項１から３の何れか１つに記載の多目的防音壁において、前記取付金具は、板材の基端部の一部を下方に折り曲げることにより下部片を形成したものからなり、前記取付金具の基端部には、前記板材を下方に折り曲げることにより上部フックが形成され、前記下部片の先端部には、前記下部片を下方に折り曲げることにより当接部が形成され、前記取付金具を前記表面板の外側から前記ルーバー間に挿入することによって、前記上部フックは、前記ルーバーの吸音材側縁部に係止され、前記当接部は、前記ルーバーの上面に当接されることに特徴を有するものである。
【００２３】
請求項９に記載の発明は、請求項１から８の何れか１つに記載の多目的防音壁において、前記フックには、前記ルーバーを挟持する挟持部が形成されていることに特徴を有するものである。
【００２４】
請求項１０に記載の発明は、請求項７または８に記載の多目的防音壁において、前記取付金具は、前記板材の先端部にフックが形成され、前記フックに前記パネル構造体が係止されることに特徴を有するものである。
【００２５】
請求項１１に記載の発明は、請求項１から８の何れか１つに記載の多目的防音壁において、前記パネル構造体は、縦桟と横桟とを格子状に組んだ網体からなり、前記パネル構造体は、前記表面板に密着させ、前記取付金具を前記パネル構造体の外側から前記ルーバー間に挿入することによって、前記表面板に取り付けられることに特徴を有するものである。
【００２６】
請求項１２に記載の発明は、請求項１、２、７から１０の何れか１つに記載された多目的防音壁において、前記パネル構造体は、縦桟と横桟とを格子状に組んだ網体からなり、前記パネル構造体は、前記表面板から離反させ、前記表面板に取り付けられることに特徴を有するものである。
【００２７】
請求項１３に記載の発明は、請求項１から１２の何れか１つに記載の多目的防音壁において、前記パネル構造体に、植栽手段、広告手段、標識等の表示手段、または、ソーラーパネル等の太陽光発電手段が取り付けられていることに特徴を有するものである。
【発明の効果】
【００２８】
この発明によれば、ルーバーが形成された表面板の内側に吸音材が配された防音パネルの前記表面板に、例えば、植栽用のマット等を取り付けるためのパネル構造体としての網体を、前記表面板に何らの加工を施すことなく、しかも、ボルト等を使用せずに、前記表面板の表側からワンタッチで確実に取り付けることができる。
【図面の簡単な説明】
【００２９】
【図１】この発明の多目的防音壁を示す一部省略断面図である。
【図２】図１に示す多目的防音壁の取付金具を示す図であり、（Ａ）は、側面図、（Ｂ）は、底面図であり、（Ｃ）は、フックの入口を狭めた取付金具を示す側面図である。
【図３】この発明のさらに別の多目的防音壁を示す一部省略断面図である。
【図４】マットおよび網体を別の取り付け方法により取り付けた、図３に示す多目的防音壁を示す一部省略断面図である。
【図５】図３および図４に示す多目的防音壁の取付金具を示す図であり、（Ａ）は、側面図、（Ｂ）は、底面図である。
【図６】この発明のさらに別の多目的防音壁を示す一部省略断面図である。
【図７】図６に示す多目的防音壁の取付金具を示す図であり、（Ａ）は、側面図、（Ｂ）は、底面図である。
【図８】この発明のさらに別の多目的防音壁を示す一部省略断面図である。
【図９】図８に示す多目的防音壁への取付金具によるマットおよび網体の取り付け方法を示す図であり、（Ａ）は、取付金具の挿入前の状態を示す一部省略断面図であり、（Ｂ）は、取付金具の下部片をルーバーに係止させた状態を示す一部省略断面図底面図である。
【図１０】図８に示す多目的防音壁の取付金具を示す図であり、（Ａ）は、側面図、（Ｂ）は、底面図である。
【図１１】この発明のさらに別の多目的防音壁を示す一部省略断面図である。
【図１２】図１１に示す多目的防音壁への取付金具によるマットおよび網体の取り付け方法を示す図であり、（Ａ）は、取付金具の挿入前の状態を示す一部省略断面図であり、（Ｂ）は、取付金具を挿入した状態を示す一部省略断面図である。
【図１３】図１１に示す多目的防音壁の取付金具を示す図であり、（Ａ）は、側面図、（Ｂ）は、底面図である。
【図１４】防音壁を示す一部省略斜視図である。
【図１５】従来防音壁の防音壁本体への緑化パネルの取り付け方法を示す分解斜視図である。
【図１６】従来防音壁を示す一部省略断面図である。
【発明を実施するための形態】
【００３０】
この発明の多目的防音壁の一実施態様を、図面を参照しながら説明する。
【００３１】
図１は、この発明の多目的防音壁を示す一部省略断面図であり、図２は、図１に示す多目的防音壁における取付金具を示す図であり、（Ａ）は、側面図、（Ｂ）は、底面図である。
【００３２】
図１において、１は、防音パネルである。防音パネル１は、ルーバー２Ａが形成された表面板２が取り付けられた箱体３内にグラスウール等の吸音材４が入れられたものからなっている。７は、パネル構造体としての網体である。網体７は、縦桟７Ａと横桟７Ｂとを格子状に組んだものからなっている。網体７は、縦桟７Ａ及び７Ｂを金属製の丸棒を溶接して構成されたものでも、プラスチック等の樹脂製で縦桟７Ａと７Ｂが一体的に形成されたものでも良く、縦桟７Ａと横桟７Ｂとで構成されたものであれば、材質は特に限定されない。
【００３３】
防音パネル１と網体７との間に、植栽育成用の多孔質材料からなるマット６を挟み込めば、蔦系の植栽がマット６に根付き、パネル構造体としての網体７に蔦等が絡み、容易に防音壁を緑化することができる。マット６は、予め網体７に番線等で縦桟７Ａ、横桟７Ｂまたは縦桟７Ａと横桟７Ｂとが交差する箇所に取り付けておいても良い。なお、マット６を防音パネル１に取り付けてもマット６は多孔質であるので、防音効果が低下する恐れはない。
【００３４】
８は、取付金具であり、弾性力に富んでいるのが好ましい。取付金具８は、防音パネル１の表面板２にパネル構造体としての網体７をワンタッチで取り付ける機能を有している。図２（Ａ）、（Ｂ）に示すように、この取付金具８は、板材をＶ字状に折り曲げて、上部片８Ａと下部片８Ｂとを形成したものからなっている。下部片８Ｂは、上部片８Ａと同等の長さでも上部片８Ａより短く形成されたものであっても良い。上部片８Ａの基端部には、上部片８Ａを上方に折り曲げることにより上部フック８Ｃが形成されている。下部片８Ｂの基端部には、下部片８Ｂを下方に折り曲げることにより下部フック８Ｄが形成されている。網体７の横桟７Ｂは、取付金具８のＶ字部に係止される。上部フック８Ｃは、一方のルーバー２Ａ１の吸音材側縁部（Ｐ１）に係止し、下部フック８Ｄは、一方のルーバー２Ａ１の下方に形成された他方のルーバー２Ａ２の吸音材側縁部（Ｐ２）に係止する。
【００３５】
図２（Ｃ）に示すように、取付金具８の上部フック８Ｃおよび下部フック８Ｄの少なくとも一方に、ルーバー２Ａの板厚より狭い幅を有する挟持部８Ｆを形成しても良い。すなわち、取付金具８をルーバー２Ａに取り付けるに際して、挟持部８Ｆを取付金具８の弾性力に抗して拡大させ、ルーバー２Ａに係止させることにより、縮小方向に付勢させて、取付金具８をルーバー２Ａに取り付けたときの取付金具８のがたつきを、さらに減少させることができる。
【００３６】
取付金具８によりマット６および網体７を防音パネル１に取り付けるには、以下のようにする。
【００３７】
図１に示すように、マット６を表面板２に当接するように防音パネル１にあてがう。この状態で網体７の横桟７Ｂの外側からマット６を貫通させてルーバー２Ａ間に取付金具８を挿入する。このとき取付金具８は、一方のルーバー２Ａ１と他方のルーバー２Ａ２との間に上部フック８Ｃと下部フック８Ｄとが入り込むように挿入する。取付金具８がルーバー２Ａ間に挿入されると、取付金具８は、その弾性力により図２（Ａ）の点線で示すように圧縮される。なお、マット６には、予め取付金具８の上部片８Ａおよび下部片８Ｂが貫通するスリット（図示せず）を形成しておく。取付金具８を吸音材４の弾性力に抗してさらに挿入すると、上部片８Ａの上部フック８Ｃは、一方のルーバー２Ａ１の吸音材側縁部（Ｐ１）に係止し、下部片８Ｂの下部フック８Ｄは、他方のルーバー２Ａ２の吸音材側縁部（Ｐ２）に係止する。係止後、取付金具８は、図２（Ａ）の実線で示す元の状態に復帰する。
【００３８】
このように、取付金具８は、その上部フック８Ｃおよび下部フック８Ｄがルーバー２Ａの吸音材側縁部（Ｐ１）、（Ｐ２）にそれぞれ係止する結果、取付金具８に引き抜き力が作用しても抜け出ることはない。しかも、上部フック８Ｃおよび下部フック８Ｄは、吸音材４の弾性力により内側から外側に押されるので、取付金具８が内外方向にがたつくことはない。網体７は、その横桟７Ｂが取付金具８により係止されるので、防音パネル１の表面板２に上下方向に不動に取り付けられる。マット６の左右方向の移動は、マット６は、左右方向に連設されるので生じない。マット６および網体７の移動は、取付金具８の取付数を増やすことにより、さらに確実に阻止することができる。
【００３９】
このようにして、マット６および網体７は、取付金具８をルーバー２Ａ間に単に挿入することのみによってワンタッチで防音パネル１に確実に取り付けることができる。
【００４０】
図５（Ａ）、（Ｂ）に、別の取付金具９を示す。取付金具９は、板材をＶ字状に折り曲げて、上部片９Ａとこれより短い下部片９Ｂとを形成したものからなっている。上部片９Ａの基端部には、上部片９Ａを上方に折り曲げることにより上部フック９Ｃが形成されている。下部片９Ｂの基端部には、下部片９Ｂを上方に折り曲げることにより当接部９Ｄが形成されている。網体７の横桟７Ｂは、取付金具９のＶ字部に係止される。上部フック９Ｃは、一方のルーバー２Ａ１の吸音材側縁部（Ｐ）に係止し、当接部９Ｄは、一方のルーバー２Ａ１の下方に形成された他方のルーバー２Ａ２の上面（図３参照）または下面（図４参照）に当接する。
【００４１】
取付金具９は、上述した取付金具８と同様に、弾性力に富んでいるのが好ましく、上部フック９Ｃに、ルーバー２Ａを挟持する図２（Ｃ）に示すような挟持部を形成すれば、取付金具９をルーバー２Ａに取り付けたときの取付金具９のがたつきを、さらに減少させることができる。
【００４２】
取付金具９によりマット６および網体７を防音パネル１に取り付けるには、以下のようにする。
【００４３】
一つの取り付け方法は、次の通りである。図３に示すように、マット６が表面板２に当接するように防音パネル１にあてがう。この状態で網体７の横桟７Ｂの外側からマット６を貫通させてルーバー２Ａ間に取付金具９を挿入する。このとき取付金具９は、一方のルーバー２Ａ１と他方のルーバー２Ａ２との間に上部フック９Ｃと当接部９Ｄとが入り込むように挿入する。取付金具９は、その弾性力により図５（Ａ）の点線で示すように圧縮される。なお、マット６には、予め取付金具９の上部片９Ａおよび下部片９Ｂが貫通するスリット（図示せず）を形成しておく。取付金具９を吸音材４の弾性力に抗してさらに挿入すると、上部片９Ａの上部フック９Ｃは、一方のルーバー２Ａ１の吸音材側縁部（Ｐ）に係止し、下部片９Ｂの当接部９Ｄは、他方のルーバー２Ａ２の上面に当接する。上部フック９Ｃの係止後、上部片９Ａは、図５（Ａ）の実線で示す元の状態に復帰する。
【００４４】
このように、取付金具９は、その上部フック９Ｃがルーバー２Ａの吸音材側縁部（Ｐ）に係止する結果、取付金具９に引き抜き力が作用しても抜け出ることはない。しかも、上部フック９Ｃは、吸音材４の弾性力により内側から外側に押されるので、取付金具９が内外方向にがたつくことはない。また、下部片９Ｂの当設部９Ｄは、他のルーバー２Ａ２の上面に当設しているので、取付金具９が上下方向にがたつくことはない。マット６および網体７は、網体７の横桟７Ｂが取付金具９により係止されるので、防音パネル１の表面板２に上下方向に不動に取り付けられる。マット６および網体７の移動は、取付金具９の取付数を増やすことにより、さらに確実の阻止することができる。
【００４５】
マット６および網体７の他の取り付け方法は、次の通りである。図４に示すように、上部片９Ａと下部片９Ｂとの間にルーバー２Ａを挟み込むようにして挿入する。この状態で網体７の横桟７Ｂの外側からマット６を貫通させてルーバー２Ａ間に取付金具９を挿入する。このとき取付金具９は、上部フック９Ｃと当接部９Ｄとによってルーバー２Ａが挟まれるようにして挿入する。これにより、上部フック９Ｃは、一方のルーバー２Ａ１の吸音材側縁部（Ｐ１）に係止し、取付金具９の下部片９Ｂの当接部９Ｄは、他方のルーバー２Ａ２の下面に当接するので、取付金具９を表面板２にワンタッチで確実に取り付けることができる。この他の効果は、図３に示すよう挿入した場合とほぼ同じである。
【００４６】
図２に示す取付金具８によれば、必ず取付金具８を一方のルーバー２Ａ１と他方のルーバー２Ａ２との間に挿入しないと、取付金具８を表面板２に取り付けることができないが、取付金具９によれば、取付金具９をルーバー２Ａ間にどのような状態で挿入しても表面板２に取り付けることができる。
【００４７】
図７（Ａ）、（Ｂ）に、別の取付金具１０を示す。この取付金具１０は、板材をコ字状に折り曲げて、上部片１０Ａとこれと同じ長さの下部片１０Ｂとを形成したものからなっている。図６に示すように、取付金具１０の上部片１０Ａと下部片１０Ｂとの間隔（Ｌ１）は、ルーバー間隔とほぼ等しい。上部片１０Ａの基端部には、上部片１０Ａを下方に折り曲げることにより上部フック１０Ｃが形成されている。下部片１０Ｂの基端部には、下部片１０Ｂを下方に折り曲げることにより下部フック１０Ｄが形成されている。網体７の横桟７Ｂは、取付金具１０の下部コーナー部に係止される。図６に示すように、上部フック１０Ｃは、一方のルーバー２Ａ１の吸音材側縁部（Ｐ１）に係止し、下部フック１０Ｂは、一方のルーバー２Ａ１の下方に形成された他方のルーバー２Ａ２の吸音材側縁部（Ｐ２）に係止する。
【００４８】
取付金具１０は、上述した取付金具８および９と同様に、弾性力に富んでいるのが好ましく、上部フック１０Ｃおよび下部フック１０Ｄに、ルーバー２Ａを挟持する図２（Ｃ）に示すような挟持部を形成すれば、取付金具１０をルーバー２Ａに取り付けたときの取付金具１０のがたつきをさらに減少させることができる。
【００４９】
取付金具１０によりマット６および網体７を防音パネル１に取り付けるには、以下のようにする。
【００５０】
図６に示すように、マット６が表面板２に当接するように防音パネル１にあてがう。この状態で網体７の横桟７Ｂの外側からマット６を貫通させてルーバー２Ａ間に取付金具１０を挿入する。このとき取付金具１０は、上部片１０Ａと下部片１０Ｂとの間にルーバー２Ａを挟み込むようにして挿入する。また、取付金具を外側下向きに傾け、上方側に向けて挿入すれば、弾性付勢することなくルーバー２Ａに係止させることもできる。なお、マット６には、予め取付金具１０の上部片１０Ａおよび下部片１０Ｂが貫通するスリット（図示せず）を形成しておく。取付金具１０を吸音材４の弾性力に抗してさらに挿入すると、上部片１０Ａの上部フック１０Ｃは、一方のルーバー２Ａ１の吸音材側縁部（Ｐ１）に係止し、下部片１０Ｂの下部フック１０Ｄは、他方のルーバー２Ａ２の吸音材側縁部（Ｐ２）に係止する。これによって、マット６と網体７は、防音パネル１の表面板２に取付金具１０によりワンタッチで確実に取り付けることができる。
【００５１】
取付金具１０は、その上部フック１０Ｃおよび下部フック１０Ｄがルーバー２Ａの吸音材側縁部（Ｐ１）、（Ｐ２）にそれぞれ係止する結果、取付金具１０に引き抜き力が作用しても抜け出ることはない。しかも、上部フック１０Ｃおよび下部フック１０Ｄは、吸音材４の弾性力により内側から外側に押されるので、取付金具８が内外方向にがたつくことはない。マット６および網体７は、網体７の横桟７Ｂが取付金具８により係止されるので、防音パネル１の表面板２に上下方向に不動に取り付けられる。マット６の左右方向の移動は、マット６は左右方向に連設されるので生じない。マット６および網体７の移動は、取付金具１０の取付数を増加させるとにより、さらに確実に阻止することができる。
【００５２】
取付金具１０には、コ字状に形成したことにより、上部片１０Ａと下部片１０Ｂとの間に、ルーバー間隔とほぼ等しい間隔（Ｌ１）が形成されているので、ルーバーと網体７の横桟７Ｂとの位置関係が上下方向にずれたとしても確実に係止できる。従って、マット６等で表面板２のルーバー２Ａの位置が視認できない場合でも、網体７を確実に表面板２に取り付けることができる。
【００５３】
図１０（Ａ）、（Ｂ）に、別の取付金具１１を示す。なお、図８以降の網体７の縦桟７Ａは省略し、横桟７Ｂのみ示す。この取付金具１１は、網体７を防音パネル１から離して取り付ける場合に有効である。この取付金具１１は、板材の基端部の一部を下方に折り曲げることにより下部片１１Ａを形成したものからなっている。取付金具１１の基端部には、前記板材を下方に折り曲げることにより上部フック１１Ｂが一対形成されている。下部片１１Ａの先端部には、下部片１１Ａを上方に折り曲げることにより下部フック１１Ｃが形成されている。前記板材の先端部には、これを上方に折り曲げることにより網体用フック１１Ｄが形成されている。網体７の横桟７Ｂは、取付金具１１の網体用フック１１Ｄに係止される。図８に示すように、上部フック１１Ａは、ルーバー２Ａの吸音材側縁部（Ｐ１）に係止し、下部フック１１Ｃは、ルーバー２Ａの外側縁部（Ｐ３）に係止する。
【００５４】
取付金具１１は、上述した取付金具８、９および１０と同様に、弾性力に富むのが好ましく、上部フック１１Ｂおよび下部フック１１Ｃに、ルーバー２Ａを挟持する、図２（Ｃ）に示すような挟持部を形成すれば、取付金具１１をルーバー２Ａに取り付けたときの取付金具１１のがたつきをさらに減少させることができる。なお、網体用フック１１Ｄにも挟持部を形成すれば、マット６の横桟７Ｂをより確実に取り付けることができる。
【００５５】
取付金具１１によりマット６および網体７を防音パネル１に取り付けるには、以下のようにする。
【００５６】
図９（Ａ）に示すように、取付金具１１の網体用フック１１Ｄがマット６の外側に突出するように、取付金具１１をマット６に挿入する。なお、マット６には、予め取付金具１１が貫通するスリット（図示せず）を形成しておく。次いで、この状態で、図９（Ｂ）に示すように、取付金具１１をルーバー２Ａ間に挿入する。このとき取付金具１１は、上部フック１１Ｂと下部フック１１Ｃとによってルーバー２Ａが挟まれるようにして挿入する。これにより、取付金具１１の下部フック１１Ｃは、ルーバー２Ａの外側縁部（Ｐ３）に係止し、さらに挿入すると、図８に示すように、取付金具１１の上部フック１１Ｂは、ルーバー２Ａの吸音材側縁部（Ｐ１）に係止する。これによって、マット６および網体７は、防音パネル１の表面板２に取付金具１１によりワンタッチで確実に取り付けることができる。
【００５７】
このように、取付金具１１は、その上部フック１１Ｂがルーバー２Ａの吸音材側縁部（Ｐ１）に係止し、下部フック１１Ｃがルーバー２Ａの外側（Ｐ３）に係止する結果、取付金具１１に引き抜き力が作用しても抜け出ることはない。しかも、ルーバー２Ａの両縁部（Ｐ１）と（Ｐ３）が上部フック１１Ｂと下部フック１１Ｃとにより挟まれると共に、上部フック１１Ｂは、吸音材４の弾性力により内側から外側に押されるので、取付金具１１が内外方向にがたつくことはない。網体７は、その横桟７Ｂが取付金具１１により係止されるので、防音パネル１の表面板２に上下方向に不動に取り付けられる。マット６および網体７の移動は、取付金具１１の取付数を増やすことにより、さらに確実の阻止することができる。
【００５８】
しかも、マット６を防音パネル１から離して取り付けることができるので、湿り気があるマット６が防音パネル１に接触することがなくなり、これにより表面板２の発錆が軽減される。しかも、防音パネル１とマット６との間に空間が形成されるので、通気性に優れ、太陽熱により加熱された防音パネル１の熱が直接、マット６に伝わりにくく、この結果、熱による植栽のダメージを軽減することができる。
【００５９】
図１３（Ａ）、（Ｂ）に、別の取付金具１２を示す。この取付金具１２は、取付金具１１と同様に、網体７を防音パネル１から離して取り付ける場合に有効である。この取付金具１２は、板材の基端部の一部を下方に折り曲げることにより下部片１２Ａを形成したものからなっている。取付金具１２の基端部には、前記板材を下方に折り曲げることにより上部フック１２Ｂが一対形成されている。下部片１２Ａの先端部には、下部片１２Ａを下方に折り曲げることにより当接部１２Ｃが形成されている。前記板材の先端部には、これを上方に折り曲げることにより網体用フック１２Ｄが形成されている。網体７の横桟７Ｂは、取付金具１２の網体用フック１２Ｄに係止される。図１１に示すように、上部フック１２Ａは、ルーバー２Ａの吸音材側縁部（Ｐ１）に係止し、下部フック１２Ｃは、ルーバー２Ａの上面に当接する。
【００６０】
取付金具１２は、上述した取付金具８、９、１０および１１と同様に、弾性力に富むのが好ましく、上部フック１２Ｂに、ルーバー２Ａを挟持する図２（Ｃ）に示すような挟持部を形成すれば、取付金具１２をルーバー２Ａに取り付けたときの取付金具１２のがたつきをさらに減少させることができる。なお、網体用フック１２Ｄにも挟持部を形成すれば、マット６の横桟７Ｂをより確実に取り付けることができる。
【００６１】
取付金具１２によりマット６および網体７を防音パネル１に取り付けるには、以下のようにする。
【００６２】
図１２（Ａ）に示すように、取付金具１２の網体用フック１２Ｄがマット６の外側に突出するように、取付金具１２をマット６に挿入する。なお、マット６には、予め取付金具１２が貫通するスリット（図示せず）を形成しておく。次いで、この状態で、図１２（Ｂ）に示すように、取付金具１２をルーバー２Ａ間に挿入する。このとき取付金具１２は、一つのルーバー２Ａ間に上部フック１２Ｂと当接部１２Ｃとが入り込むように挿入する。これにより、図１１に示すように、取付金具１２の上部フック１２Ｂは、吸音材側縁部（Ｐ）に係止し、当接部１２Ｃは、ルーバー２Ａの上面に当接する。
【００６３】
このように、取付金具１２は、その上部フック１２Ｂがルーバー２Ａの吸音材側縁部（Ｐ）に係止し、当接部１２Ｃがルーバー２Ａの上面に当接する結果、取付金具１２に引き抜き力が作用しても抜け出ず、しかも、取付金具１２が下方に回転することはない。これによって、マット６および網体７は、防音パネル１に取付金具１２によりワンタッチで確実に取り付けることができる。しかも、上部フック１２Ｂは、吸音材４の弾性力により内側から外側に押されるので、取付金具１２が内外方向にがたつくことはない。網体７は、その横桟７Ｂが取付金具１２により係止されるので、防音パネル１の表面板２に上下方向に不動に取り付けられる。マット６および網体７の移動は、取付金具１２の取付数を増やすことにより、さらに確実の阻止することができる。
【００６４】
この取付金具１２によれば、マット６を防音パネル１から離して取り付けることができるので、図８に示す取付金具１１におけると同様な効果が得られる。
【００６５】
以上は、パネル構造体に植栽手段としての植栽用のマットを取り付けて防音壁を緑化する場合であるが、植栽用のマット６以外に、広告手段あるいは道路標識等の何らかの表示手段、ソーラーパネル等の太陽光発電手段等を取り付けることもできる。なお、これらの場合、パネル構造体を防音パネル１に取り付けることによって防音機能を低下させないようにする必要があることは言うもでもない。
【００６６】
この発明によれば、取付金具を単にルーバー間に挿入することのみによって、網体等のパネル構造体を、防音パネルの表面板に何らの加工を施すことなく、表面板の表側から容易かつ確実に取り付けることができる。
【符号の説明】
【００６７】
１：防音パネル
２：表面板
２Ａ：ルーバー
２Ａ１：一方のルーバー
２Ａ２：他方のルーバー
３：箱体
４：吸音材
６：マット
７：網体
７Ａ：縦桟
７Ｂ：横桟
８：取付金具
８Ａ：上部片
８Ｂ：下部片
８Ｃ：上部フック
８Ｄ：下部フック
８Ｆ：挟持部
９：取付金具
９Ａ：上部片
９Ｂ：下部片
９Ｃ：上部フック
９Ｄ：当接部
１０：取付金具
１０Ａ：上部片
１０Ｂ：下部片
１０Ｃ：上部フック
１０Ｄ：下部フック
１１：取付金具
１１Ａ：下部片
１１Ｂ：上部フック
１１Ｃ：下部フック
１１Ｄ：網体用フック
１２：取付金具
１２Ａ：下部片
１２Ｂ：上部フック
１２Ｃ：当接部
１２Ｄ：網体用フック
１３：防音壁
１４：表面板
１５：箱体
１６：吸音材
１７：防音壁本体
１８：表面板
１９：箱体
２０：吸音材
２１：緑化パネル
２２：取付枠
２３：マット
２４：網体
２５：ドリルビス
２６：取付金具
２７：第１取付片
２８：第２取付片
２９：傾斜係止片
２９Ａ：フック
３０：押え片
３１：ボルト・ナット
３２：ボルト・ナット
【図１】
2011001737.tif 000003
【図２】
2011001737.tif 000004
【図３】
2011001737.tif 000005
【図４】
2011001737.tif 000006
【図５】
2011001737.tif 000007
【図６】
2011001737.tif 000008
【図７】
2011001737.tif 000009
【図８】
2011001737.tif 000010
【図９】
2011001737.tif 000011
【図１０】
2011001737.tif 000012
【図１１】
2011001737.tif 000013
【図１２】
2011001737.tif 000014
【図１３】
2011001737.tif 000015
【図１４】
2011001737.tif 000016
【図１５】
2011001737.tif 000017
【図１６】
2011001737.tif 000018